(57)【要約】【課題】入力画像信号の切り替わりを精度良く検出することのできる技術を提供する。【解決手段】本発明の画像処理装置は、入力画像信号が所定のプルダウン方式で変換された画像信号（静止画フィールドと動画フィールドの現れるパターンがＮ個（Ｎは正の整数）のフィールド単位で繰り返される信号）であることが検出された後、入力画像信号における、静止画フィールドと動画フィールドの現れるパターンが、所定のプルダウン方式で変換された画像信号におけるパターンと異なるか否かを判定し、入力画像信号におけるパターンが所定のプルダウン方式で変換された画像信号におけるパターンと異なると判定された回数をカウントし、カウント値が所定値を超えたときに、入力画像信号が所定のプルダウン方式で変換された画像信号から他の画像信号へ切り替わったと判断する。【選択図】図２
2013211735.tif 000002
【特許請求の範囲】
【請求項１】
所定のプルダウン方式で変換されたインターレース方式の入力画像信号をプログレッシブ方式の出力画像信号に変換する画像処理装置であって、
インターレース方式の画像信号である入力画像信号の現フィールドが、２フィールド前と同じ画像からなる静止画フィールドか、２フィールド前と異なる画像からなる動画フィールドかを判定するフィールド判定手段と、
前記入力画像信号が所定のプルダウン方式で変換された画像信号であることを検出する検出手段と、
前記検出手段で前記入力画像信号が前記所定のプルダウン方式で変換された画像信号であることが検出された後、入力画像信号の切り替わりが生じたか否かを監視する監視手段と、
を有し、
前記所定のプルダウン方式で変換された画像信号は、静止画フィールドと動画フィールドの現れるパターンがＮ個（Ｎは正の整数）のフィールド単位で繰り返される信号であり、
前記監視手段は、
前記入力画像信号における、静止画フィールドと動画フィールドの現れるパターンが、前記所定のプルダウン方式で変換された画像信号におけるパターンと異なるか否かを判定するパターン判定手段と、
前記パターン判定手段で前記入力画像信号におけるパターンが前記所定のプルダウン方式で変換された画像信号におけるパターンと異なると判定された回数をカウントするカウント手段と、
前記カウント手段のカウント値が所定値を超えたときに、前記入力画像信号が前記所定のプルダウン方式で変換された画像信号から他の画像信号へ切り替わったと判断する判断手段と、
を有する
ことを特徴とする画像処理装置。
【請求項２】
前記カウント手段は、前記入力画像信号におけるパターンが前記所定のプルダウン方式で変換された画像信号におけるパターンと異なると連続して判定された回数をカウントする
ことを特徴とする請求項１に記載の画像処理装置。
【請求項３】
前記検出手段で前記入力画像信号が前記所定のプルダウン方式で変換された画像信号であることが検出されてからの時間を計測する計測手段を更に有し、
前記カウント手段は、前記計測手段の計測時間に基づいて、前記検出手段で前記入力画像信号が前記所定のプルダウン方式で変換された画像信号であることが検出されてから所定時間おきに、前記カウント値をリセットする
ことを特徴とする請求項１に記載の画像処理装置。
【請求項４】
前記画像処理装置は、第１のプルダウン方式用の第１処理手段と、前記第１のプルダウン方式と異なる第２のプルダウン方式用の第２処理手段とを有しており、
前記第１処理手段は、
前記入力画像信号が前記第１のプルダウン方式で変換された画像信号であることを検出する第１検出手段と、
前記第１検出手段で前記入力画像信号が前記第１のプルダウン方式で変換された画像信号であることが検出された後、入力画像信号の切り替わりが生じたか否かを監視する第１監視手段と、
を有し、
前記第２処理手段は、
前記入力画像信号が前記第２のプルダウン方式で変換された画像信号であることを検出する第２検出手段と、
前記第２検出手段で前記入力画像信号が前記第２のプルダウン方式で変換された画像信号であることが検出された後、入力画像信号の切り替わりが生じたか否かを監視する第２監視手段と、
を有し、
前記第１検出手段は、前記第２検出手段で前記入力画像信号が前記第２のプルダウン方式で変換された画像信号であることが検出されてから、前記第２監視手段で入力画像信号が切り替わったと判断されるまでの期間以外の期間に、前記入力画像信号が前記第１のプルダウン方式で変換された画像信号であることを検出し、
前記第２検出手段は、前記第１検出手段で前記入力画像信号が前記第１のプルダウン方式で変換された画像信号であることが検出されてから、前記第１監視手段で入力画像信号が切り替わったと判断されるまでの期間以外の期間に、前記入力画像信号が前記第２のプルダウン方式で変換された画像信号であることを検出する
ことを特徴とする請求項１〜３のいずれか１項に記載の画像処理装置。
【請求項５】
前記第１のプルダウン方式は、２−３プルダウン方式であり、
前記第２のプルダウン方式は、２−３−３−２プルダウン方式である
ことを特徴とする請求項４に記載の画像処理装置。
【請求項６】
所定のプルダウン方式で変換されたインターレース方式の入力画像信号をプログレッシブ方式の出力画像信号に変換する画像処理装置の制御方法であって、
インターレース方式の画像信号である入力画像信号の現フィールドが、２フィールド前と同じ画像からなる静止画フィールドか、２フィールド前と異なる画像からなる動画フィールドかを判定するフィールド判定ステップと、
前記入力画像信号が所定のプルダウン方式で変換された画像信号であることを検出する検出ステップと、
前記検出ステップで前記入力画像信号が前記所定のプルダウン方式で変換された画像信号であることが検出された後、入力画像信号の切り替わりが生じたか否かを監視する監視ステップと、
を有し、
前記所定のプルダウン方式で変換された画像信号は、静止画フィールドと動画フィールドの現れるパターンがＮ個（Ｎは正の整数）のフィールド単位で繰り返される信号であり、
前記監視ステップは、
前記入力画像信号における、静止画フィールドと動画フィールドの現れるパターンが、前記所定のプルダウン方式で変換された画像信号におけるパターンと異なるか否かを判定するパターン判定ステップと、
前記パターン判定ステップで前記入力画像信号におけるパターンが前記所定のプルダウン方式で変換された画像信号におけるパターンと異なると判定された回数をカウントするカウントステップと、
前記カウントステップのカウント値が所定値を超えたときに、前記入力画像信号が前記所定のプルダウン方式で変換された画像信号から他の画像信号へ切り替わったと判断する判断ステップと、
を有する
ことを特徴とする画像処理装置の制御方法。
【発明の詳細な説明】
【技術分野】
【０００１】
本発明は、画像処理装置及びその制御方法に関する。
【背景技術】
【０００２】
テレシネ変換の方法として、一般に「２−３プルダウン変換」や「２−３−３−２プルダウン変換」など複数の変換方法がある。テレシネ変換は、映画フィルム等の毎秒２４コマ（フレーム）のプログレッシブ方式の画像信号から、ＮＴＳＣ方式信号やハイビジョン信号等の６０フィールドの飛び越し走査画像信号（インターレース方式の画像信号）への変換である。以後、２−３プルダウン変換されたインターレース方式の画像信号（２−３プルダウン方式で変換されたインターレース方式の画像信号）を２−３プルダウン画像信号と呼ぶ。また、２−３−３−２プルダウン変換されたインターレース方式の画像信号（２−３−３−２プルダウン方式で変換されたインターレース方式の画像信号）を２−３−３−２プルダウン画像信号と呼ぶ。
【０００３】
２−３プルダウン画像信号は、１つのフレームを２フィールドに、次のフレームを３フィールドに対応するように変換して得られたインターレース画像信号である。２−３プルダウン画像信号では、５フィールドに１回、２フィールド前と同じ画像からなるフィールドが現れる。そのため、２フィールド前との画像信号の差分（以後、フレーム差分比較値と呼ぶ）が、５フィールドに１回の周期で０又は所定閾値以下となる。このように、２−３プルダウン画像信号では、５フィールドで１つのシーケンスが形成され、そのうち特定の位相のフィールドが、フレーム差分比較値が所定閾値以下となる静止画フィールドとなる。以後、２−３プルダウン画像信号において静止画フィールドとなる位相を特定位相１と呼ぶ。
【０００４】
２−３−３−２プルダウン画像信号は、１つのフレームを２フィールド、次のフレームを３フィールド、その次のフレームを３フィールド、その次のフレームを２フィールドに対応するように変換して得られたインターレース画像信号である。２−３−３−２プルダウン画像信号では、１０フィールドに２回、２フィールド前と同じ画像からなるフィールドが現れる。そのため、フレーム差分比較値が、１０フィールドに２回の周期で０又は所定閾値以下となる。このように、２−３−３−２プルダウン画像信号では、１０フィールドで１つのシーケンスが形成され、そのうち特定の位相のフィールドが静止画フィールドとなる。以後、２−３−３−２プルダウン画像信号において静止画フィールドとなる位相を特定位相２と呼ぶ。
【０００５】
通常、テレシネ変換されたインターレース方式の画像信号をプログレッシブ方式の画像信号に変換する際には、特定位相１及び２を利用して入力画像信号がプルダウン画像信号であることが検出される。そして、入力画像信号が２−３プルダウン画像信号である場合には、２−３プルダウン位相（１シーケンスを形成する５フィールドのうちの何番目のフィールドか）が検出される。また、入力画像信号が２−３−３−２プルダウン画像信号である場合には、２−３−３−２プルダウン位相（１シーケンスを形成する１０フィールドのうちの何番目のフィールドか）が検出される。そして、上記位相の検出結果に基づいて、変換対象のフィールドの生成元と同じフレームから生成されたフィールドの画像信号が選択され、選択された画像信号を用いて、変換対象の画像信号がプログレッシブ方式の画像信号に変換される。
また、プルダウン画像信号の検出後には、各フィールドが静止画フィールドであるか動画フィールドであるかを判定することで、プルダウン画像信号のフィールドシーケンスが保たれているかが判定される。
【０００６】
例えば、特許文献１に開示の技術では、動画フィールド（フレーム差分比較値が所定閾値より大きいフィールド）の連続数、静止画フィールドの連続数、特定位相１以外の位相での静止画フィールドの数がカウントされる。動画フィールドの連続数または静止画フィールドの連続数が５以上となったタイミングで、入力画像信号の切り替わり（プルダウン画像信号から他のインターレース方式の画像信号への切り替わり）が検出される。また、特定位相１以外の位相での静止画フィールドの数が１以上の場合に、２−３プルダウン画像信号のフィールドシーケンスの規則性（位相）が乱れたと判定される。そして、２−３プルダウン画像信号のフィールドシーケンスが２回連続したタイミングで、入力画像信号が２−３プルダウン画像信号であることが検出される。
【先行技術文献】
【特許文献】
【０００７】
【特許文献１】特開２００４−２２３５０３号公報
【発明の概要】
【発明が解決しようとする課題】
【０００８】
しかしながら、プルダウン画像信号にノイズ等が含まれていることがある。そのような場合において特許文献１に記載の技術を用いると、入力画像信号がプルダウン画像信号のままであるにもかかわらず、入力画像信号の切り替わりが誤検出されてしまうことがある。
例えば、図５に示すように、特定位相１のフィールドにノイズ等が含まれていると、特定位相１でフレーム差分比較値が所定閾値以下とならず、特定位相１のフィールドが静止画フィールドと判定されない（動画フィールドと判定される）ことがある。その結果、動画フィールドが５フィールド以上連続することとなり、入力画像信号がプルダウン画像信号のままであるにもかかわらず、入力画像信号の切り替わり（プルダウン画像信号から他の画像信号への切り替わり）が誤検出されてしまう。
【０００９】
本発明は、入力画像信号の切り替わりを精度良く検出することのできる技術を提供することを目的とする。
【課題を解決するための手段】
【００１０】
本発明の画像処理装置は、
所定のプルダウン方式で変換されたインターレース方式の入力画像信号をプログレッシブ方式の出力画像信号に変換する画像処理装置であって、
インターレース方式の画像信号である入力画像信号の現フィールドが、２フィールド前と同じ画像からなる静止画フィールドか、２フィールド前と異なる画像からなる動画フィールドかを判定するフィールド判定手段と、
前記入力画像信号が所定のプルダウン方式で変換された画像信号であることを検出する検出手段と、
前記検出手段で前記入力画像信号が前記所定のプルダウン方式で変換された画像信号であることが検出された後、入力画像信号の切り替わりが生じたか否かを監視する監視手段と、
を有し、
前記所定のプルダウン方式で変換された画像信号は、静止画フィールドと動画フィールドの現れるパターンがＮ個（Ｎは正の整数）のフィールド単位で繰り返される信号であり、
前記監視手段は、
前記入力画像信号における、静止画フィールドと動画フィールドの現れるパターンが、前記所定のプルダウン方式で変換された画像信号におけるパターンと異なるか否かを判
定するパターン判定手段と、
前記パターン判定手段で前記入力画像信号におけるパターンが前記所定のプルダウン方式で変換された画像信号におけるパターンと異なると判定された回数をカウントするカウント手段と、
前記カウント手段のカウント値が所定値を超えたときに、前記入力画像信号が前記所定のプルダウン方式で変換された画像信号から他の画像信号へ切り替わったと判断する判断手段と、
を有する
ことを特徴とする。
【００１１】
本発明の画像処理装置の制御方法は、
所定のプルダウン方式で変換されたインターレース方式の入力画像信号をプログレッシブ方式の出力画像信号に変換する画像処理装置の制御方法であって、
インターレース方式の画像信号である入力画像信号の現フィールドが、２フィールド前と同じ画像からなる静止画フィールドか、２フィールド前と異なる画像からなる動画フィールドかを判定するフィールド判定ステップと、
前記入力画像信号が所定のプルダウン方式で変換された画像信号であることを検出する検出ステップと、
前記検出ステップで前記入力画像信号が前記所定のプルダウン方式で変換された画像信号であることが検出された後、入力画像信号の切り替わりが生じたか否かを監視する監視ステップと、
を有し、
前記所定のプルダウン方式で変換された画像信号は、静止画フィールドと動画フィールドの現れるパターンがＮ個（Ｎは正の整数）のフィールド単位で繰り返される信号であり、
前記監視ステップは、
前記入力画像信号における、静止画フィールドと動画フィールドの現れるパターンが、前記所定のプルダウン方式で変換された画像信号におけるパターンと異なるか否かを判定するパターン判定ステップと、
前記パターン判定ステップで前記入力画像信号におけるパターンが前記所定のプルダウン方式で変換された画像信号におけるパターンと異なると判定された回数をカウントするカウントステップと、
前記カウントステップのカウント値が所定値を超えたときに、前記入力画像信号が前記所定のプルダウン方式で変換された画像信号から他の画像信号へ切り替わったと判断する判断ステップと、
を有する
ことを特徴とする。
【発明の効果】
【００１２】
本発明によれば、入力画像信号の切り替わりを精度良く検出することができる。
【図面の簡単な説明】
【００１３】
【図１】実施例１，２に係る画像処理装置の構成の一例を示す図
【図２】実施例１のシーケンス検出部の構成の一例を示す図
【図３】実施例１の２−３プルダウン検出部の動作の一例を示す図
【図４】実施例１の２−３プルダウン検出部の動作の一例を示す図
【図５】実施例１の２−３プルダウン検出部の動作の一例を示す図
【図６】実施例１の２−３プルダウン検出部の動作の一例を示す図
【図７】実施例１の２−３プルダウン検出部の動作の一例を示す図
【図８】実施例２のシーケンス検出部の構成の一例を示す図
【図９】実施例２の２−３プルダウン検出部の動作の一例を示す図
【図１０】実施例２の２−３プルダウン検出部の動作の一例を示す図
【図１１】実施例２の２−３プルダウン検出部の動作の一例を示す図
【図１２】実施例２の２−３−３−２プルダウン検出部の動作の一例を示す図
【図１３】実施例２の２−３−３−２プルダウン検出部の動作の一例を示す図
【図１４】実施例２の２−３−３−２プルダウン検出部の動作の一例を示す図
【図１５】実施例２の２−３−３−２プルダウン検出部の動作の一例を示す図
【図１６】実施例２の２−３−３−２プルダウン検出部の動作の一例を示す図
【発明を実施するための形態】
【００１４】
＜実施例１＞
以下、本発明の実施例１に係る画像処理装置及びその制御方法について説明する。本実施例に係る画像処理装置は、所定のプルダウン方式で変換されたインターレース方式の入力画像信号をプログレッシブ方式の出力画像信号に変換する画像処理装置である。所定のプルダウン方式で変換された画像信号は、２フィールド前と同じ画像からなる静止画フィールドと、２フィールド前と異なる画像からなる動画フィールドとの現れるパターンがＮ個（Ｎは正の整数）のフィールド単位で繰り返される信号である。本実施例では、所定のプルダウン方式が２−３プルダウン方式の場合の例を説明する。２−３プルダウン方式で変換された画像信号（２−３プルダウン画像信号）は、静止画フィールドと動画フィールドの現れるパターンが５個のフィールド単位で繰り返される信号である。即ち、２−３プルダウン画像信号は、５フィールドで１つのシーケンスが形成される画像信号である。
なお、所定のプルダウン方式は２−３プルダウン方式に限らない。例えば、所定のプルダウン方式は、２−３−３−２プルダウン方式であってもよい。２−３−３−２プルダウン方式で変換された画像信号は、静止画フィールドと動画フィールドの現れるパターンが１０個のフィールド単位で繰り返される信号である。
【００１５】
図１は、本実施例に係る画像処理装置の構成の一例を示すブロック図である。
図１に示すように、本実施例に係る画像処理装置１０は、入力端子１００、１フィールド遅延部１０１，１０２、テレシネ補間処理部１０３、倍速変換処理部１０４、出力端子１０５、プルダウン検出部２００などを有する。
画像処理装置１０は、入力端子１００に入力された入力画像信号（画像信号Ｉａ）が２−３プルダウン画像信号である場合に、画像信号Ｉｂ，Ｉｄからプログレッシブ方式の画像信号Ｐを生成し、画像信号Ｐを出力端子１０５から出力する。画像信号Ｉｂは、画像処理装置１０に入力された画像信号Ｉａを１フィールド分遅延させた画像信号であり、画像信号Ｉｄは、補間画素で構成された画像を表す画像信号である。
【００１６】
入力端子１００は、外部から画像信号Ｉａを入力する。
１フィールド遅延部１０１，１０２は、入力された画像信号を１フィールド分遅延させる。具体的には、１フィールド遅延部１０１は、画像処理装置１０に入力された画像信号Ｉａを１フィールド遅延させ、画像信号Ｉｂを出力する。１フィールド遅延部１０２は、画像信号Ｉｂを１フィールド遅延させ、画像信号Ｉｃ（画像信号Ｉｂを１フィールド分遅延させた画像信号）を出力する。即ち、画像処理装置１０にｎ番目のフィールドの画像信号が入力されたとき、１フィールド遅延部１０１からはｎ−１番目のフィールドの画像信号が出力され、１フィールド遅延部１０２からはｎ−２番目のフィールドの画像信号が出力される。以後、画像信号Ｉａを現フィールド信号、画像信号Ｉｂを１フィールド遅延信号、画像信号Ｉｃを２フィールド遅延信号と呼ぶ。
【００１７】
テレシネ補間処理部１０３には、現フィールド信号Ｉａと２フィールド遅延信号Ｉｃが入力される。テレシネ補間処理部１０３は、１フィールド遅延信号Ｉｂの補間画素で構成された画像信号Ｉｄを生成し、出力する。画像信号Ｉｄは、現フィールド信号Ｉａと２フ
ィールド遅延信号Ｉｃのいずれかを使用して生成される。本実施例では、プルダウン検出部２００からテレシネ補間処理部１０３に補間位相フラグ（ｉｓｏ＿ｆｌｇ）が入力される。補間位相フラグは、テレシネ補間処理部１０３で画像信号Ｉｄを生成する際に使用する画像信号を選択するためのフラグである。そして、テレシネ補間処理部１０３は、補間位相フラグに応じて、現フィールド信号Ｉａと２フィールド遅延信号Ｉｃのいずれかを選択し、画像信号Ｉｄとして出力する。以後、画像信号Ｉｄを補間信号と呼ぶ。
【００１８】
倍速変換処理部１０４には、１フィールド遅延信号Ｉｂと補間信号Ｉｄが入力される。倍速変換処理部１０４は、１フィールド遅延信号Ｉｂと補間信号Ｉｄからプログレッシブ方式の画像信号Ｐを生成して出力する。具体的には、倍速変換処理部１０４は、不図示のタイミング信号に同期して、１フィールド遅延信号Ｉｂと補間信号Ｉｄを１ラインずつ交互に選択して出力する。以後、画像信号Ｐを出力信号と呼ぶ。
【００１９】
プルダウン検出部２００には、現フィールド信号Ｉａと２フィールド遅延信号Ｉｃが入力される。プルダウン検出部２００は、差分値算出部２０１、比較部２０２、シーケンス検出部２０３などを有する。
【００２０】
差分値算出部２０１は、画素毎に、現フィールド信号Ｉａと２フィールド遅延信号Ｉｃの差分（フレーム差分値）を算出し、出力する。なお、フレーム差分値の算出対象は、全画素であってもよいし、一部の画素（例えば一部の領域内の画素）であってもよい。
【００２１】
比較部２０２は、現フィールド信号Ｉａのフィールドが、静止画フィールドか動画フィールドかを判定する（フィールド判定）。具体的には、比較部２０２は、差分値算出部２０１が出力したフレーム差分値と所定の閾値との比較を行い、現フィールド信号Ｉａのフィールドが静止画フィールドか動画フィールドかを判定する。そして、比較部２０２は、判定結果として、２値化されたフレーム差分比較値（ｆｌａｍｅ＿ｃｍｐ）を出力する。本実施例では、フレーム差分値の平均値が所定の閾値未満の場合（現フィールド信号Ｉａと２フィールド遅延信号Ｉｃの相関が強い場合）に、現フィールド信号Ｉａのフィールドが静止画フィールドであると判定され、ｆｌａｍｅ＿ｃｍｐとして０が出力される。フレーム差分値の平均値が所定の閾値以上の場合（現フィールド信号Ｉａと２フィールド遅延信号Ｉｃの相関が弱い場合）には、ｆｌａｍｅ＿ｃｍｐとして１が出力される。
なお、動画フィールドか静止画フィールドかの判定方法は、上述した方法に限らない。動画フィールドか静止画フィールドかを判定することができれば、どのような方法であってもよい。例えば、フレーム差分値が所定の閾値未満である画素の数と所定数を比較して、現フィールド信号Ｉａのフィールドが静止画フィールドか動画フィールドかが判定されてもよい。ブロックマッチングにより現フィールド信号Ｉａと２フィールド遅延信号Ｉｃとの類似度を算出し、類似度と閾値を比較して、現フィールド信号Ｉａのフィールドが静止画フィールドか動画フィールドかが判定されてもよい。
【００２２】
シーケンス検出部２０３は、比較部２０２が出力したフレーム差分比較値に基づいて、入力画像信号（画像信号Ｉａ，Ｉｂ，Ｉｃ）が２−３プルダウン画像信号であることを検出する。シーケンス検出部２０３は、入力画像信号が２−３プルダウン画像信号であることが検出された後、入力画像信号の切り替わりが生じたか否かを監視する。シーケンス検出部２０３は、補間位相フラグを生成して出力する。
【００２３】
シーケンス検出部２０３の詳細な構成について、図２を用いて説明する。
図２は、シーケンス検出部２０３の構成の一例を示すブロック図である。
シーケンス検出部２０３は、２−３プルダウン検出部３００と補間位相フラグ生成部３０６を有する。２−３プルダウン検出部３００は、２−３検出位相カウンタ３０１と２−３解除カウンタ３０２などを有する。
【００２４】
２−３検出位相カウンタ３０１は、比較部２０２が出力したフレーム差分比較値に基づいて、入力画像信号が２−３プルダウン画像信号であることを検出する。２−３検出位相カウンタ３０１は、例えば、２−３プルダウン画像信号で繰り返される５フィールドのパターンが所定回数連続した場合に、入力画像信号が２−３プルダウン画像信号であると判断する。そして、２−３検出位相カウンタ３０１は、２−３位相カウント値（ｃｎｔ２３）と２−３検出フラグ（ｓｔａｔｅ２３）を出力する。２−３位相カウント値は、入力画像信号が２−３プルダウン画像信号である場合に、現フィールド信号Ｉａのフィールドが１シーケンスを形成する５フィールドのうち何番目のフィールドかを示す。本実施例では、２−３検出位相カウンタ３０１は、２−３位相カウント値として、０〜４の値を繰り返す。２−３検出フラグは、入力画像信号が２−３プルダウン画像信号であるか否かを示す。本実施例では、入力画像信号が２−３プルダウン画像信号であると判断されている期間では、ｓｔａｔｅ２３＝１とされる。即ち、入力画像信号が２−３プルダウン画像信号であることが検出されてから、２−３解除カウンタ３０２で入力画像信号の切り替わりが生じたと判断されるまでの期間では、ｓｔａｔｅ２３＝１とされる。それ以外の期間では、ｓｔａｔｅ２３＝０とされる。
【００２５】
２−３解除カウンタ３０２は、２−３検出位相カウンタ３０１で入力画像信号が２−３プルダウン画像信号であることが検出された後、入力画像信号の切り替わりが生じたか否かを監視する。２−３検出位相カウンタ３０１で入力画像信号が２−３プルダウン画像信号であることが検出されたか否かは、２−３検出位相カウンタ３０１が出力した２−３検出フラグを用いて判断される。そして、入力画像信号が２−３プルダウン画像信号から他の画像信号へ切り替わったと判断された場合に、２−３解除カウンタ３０２は、２−３リセット信号（２−３ＰＤ＿ｒｓｔ）を出力する。２−３検出位相カウンタ３０１は、２−３リセット信号に応じて、入力画像信号が２−３プルダウン画像信号から他の画像信号へ切り替わったと判断されたか否かを判断する。
【００２６】
具体的には、２−３解除カウンタ３０２は、入力画像信号におけるパターンが２−３プルダウン画像信号におけるパターンと異なるか否かを判定する（パターン判定）。本実施例では、２−３プルダウン画像信号における静止画フィールドのタイミング（現フィールド信号Ｉａのフィールドが静止画フィールドとなるべきタイミング）の現フィールド信号Ｉａに対する比較部２０２の判定結果が静止画フィールドか否かが判定される。即ち、２−３プルダウン画像信号における静止画フィールドのタイミングでフレーム差分比較値が０となっているか否かが判定される。そして、２−３プルダウン画像信号における静止画フィールドのタイミングでフレーム差分比較値が０となっている場合には、入力画像信号におけるパターンが２−３プルダウン画像信号におけるパターンと同じであると判定される。２−３プルダウン画像信号における静止画フィールドのタイミングでフレーム差分比較値が０となっていない場合には、入力画像信号におけるパターンが２−３プルダウン画像信号におけるパターンと異なると判定される。２−３プルダウン画像信号における静止画フィールドのタイミングは、２−３検出位相カウンタ３０１が出力した２−３位相カウント値を用いて判断される。また、２−３解除カウンタ３０２は、入力画像信号におけるパターンが２−３プルダウン画像信号におけるパターンと異なると判定された回数をカウントする。そして、２−３解除カウンタ３０２は、カウント値（２−３解除カウント値ｃｎｔ２３＿ｒｓｔ）が所定値を超えたときに、入力画像信号が２−３プルダウン画像信号から他の画像信号へ切り替わったと判断する。
【００２７】
なお、本実施例では、入力画像信号におけるパターンが２−３プルダウン画像信号におけるパターンと異なると連続して判定された回数がカウントされるものとする。即ち、本実施例では、入力画像信号におけるパターンが２−３プルダウン画像信号におけるパターンと同じであると判定された場合に、２−３解除カウント値がリセットされるものとする
。しかし、カウント方法はこれに限らない。例えば、入力画像信号におけるパターンが２−３プルダウン画像信号におけるパターンと同じであると判定された場合に、２−３解除カウント値がリセットされなくてもよい。
なお、入力画像信号におけるパターンが２−３プルダウン画像信号におけるパターンと異なるか否かの判定方法は、上記方法に限らない。
例えば、フィールド毎に、現フィールド信号Ｉａのパターンが、２−３プルダウン画像信号におけるパターンと異なるか否かを判定してもよい。その場合には、現フィールド信号Ｉａのパターンが、２−３プルダウン画像信号におけるパターンと異なる場合に、入力画像信号におけるパターンが２−３プルダウン画像信号におけるパターンと異なると判定される。
また、フレーム差分比較値が０となったタイミングが、２−３プルダウン画像信号における静止画フィールドのタイミングと異なるか否かを判定してもよい。その場合には、フレーム差分比較値が０となったタイミングが、２−３プルダウン画像信号における静止画フィールドのタイミングと異なる場合に、入力画像信号におけるパターンが２−３プルダウン画像信号におけるパターンと異なると判定される。
【００２８】
２−３プルダウン検出部３００の具体的な動作については、後で詳しく説明する。
【００２９】
補間位相フラグ生成部３０６には、２−３検出位相カウンタ３０１が出力した２−３検出フラグ（ｓｔａｔｅ２３）と２−３位相カウント値（ｃｎｔ２３）が入力される。補間位相フラグ生成部３０６は、ｓｔａｔｅ２３＝１の場合に、ｃｎｔ２３の値に基づいて補間位相フラグ（ｉｓｏ＿ｆｌｇ）を生成する。本実施例では、１フィールド遅延信号Ｉｂの１つ後のフィールド（すなわち現フィールド信号Ｉａ）を補間信号Ｉｄとする場合には、ｉｓｏ＿ｆｌｇ＝１とされる。１フィールド遅延信号Ｉｂの１つ前のフィールド（すなわち２フィールド遅延信号Ｉｃ）を補間信号Ｉｄとする場合には、ｉｓｏ＿ｆｌｇ＝０とされる。本実施例では、ｃｎｔ２３＝１，３のときに、ｉｓｏ＿ｆｌｇ＝１とされ、それ以外ではｉｓｏ＿ｆｌｇ＝０とされる。ｓｔａｔｅ２３＝０の場合には、ｉｓｏ＿ｆｌｇ＝１とされる。なお、ｓｔａｔｅ２３＝１であるときのｉｓｏ＿ｆｌｇの値は、上記値に限らない。例えば、ｃｎｔ２３＝４のときにｉｓｏ＿ｆｌｇ＝１とされてもよい。
【００３０】
以下、２−３プルダウン検出部３００の動作の具体例について説明する。
図３は、入力画像信号が２−３プルダウン画像信号であることが検出された後の２−３プルダウン検出部３００の動作の一例を示すフローチャートである。図３の処理フローは、繰り返し実行される。
【００３１】
まず、２−３検出位相カウンタ３０１と２−３解除カウンタ３０２が、２−３検出フラグが０か否かを判定する（Ｓ１００）。２−３検出フラグが０の場合には（Ｓ１００：Ｙｅｓ）、Ｓ１０１へ処理が進められる。２−３検出フラグが１の場合には（Ｓ１００：Ｎｏ）、Ｓ１０２へ処理が進められる。
Ｓ１０１では、２−３検出位相カウンタ３０１が、入力画像信号が２−３プルダウン画像信号であることを検出する２−３プルダウン検出処理を行い、本フローが終了される。２−３プルダウン検出処理の詳細については、説明を省略する。
Ｓ１０２では、２−３検出位相カウンタ３０１と２−３解除カウンタ３０２が、２−３位相カウント値が４であるか否かを判定する。２−３位相カウント値が４でない場合には（Ｓ１０２：Ｎｏ）、２−３検出位相カウンタ３０１が２−３位相カウント値を１インクリメントし（Ｓ１０３）、本フローが終了される。２−３位相カウント値が４である場合には（Ｓ１０２：Ｙｅｓ）、Ｓ１０４へ処理が進められる。
Ｓ１０４では、２−３検出位相カウンタ３０１と２−３解除カウンタ３０２が、フレーム差分比較値が１か否かを判定する。フレーム差分比較値が０の場合には（Ｓ１０４：Ｎｏ）、２−３検出位相カウンタ３０１が２−３位相カウント値を０にリセットし（Ｓ１０
８）、本フローが終了される。フレーム差分比較値が１の場合には（Ｓ１０４：Ｙｅｓ）、Ｓ１０５へ処理が進められる。
Ｓ１０５では、２−３解除カウンタ３０２が、２−３解除カウント値が所定値を超えたか否かを判定する。２−３解除カウント値が所定値を超えた場合には（Ｓ１０５：Ｙｅｓ）、Ｓ１０６へ処理が進められる。２−３解除カウント値が所定値を超えていない場合には（Ｓ１０５：Ｎｏ）、Ｓ１０７へ処理が進められる。
Ｓ１０６では、２−３解除カウンタ３０２が、２−３解除カウント値を０にリセットし、２−３リセット信号を出力する。そして、２−３検出位相カウンタ３０１は、２−３リセット信号が出力されたことに応じて、２−３検出フラグを１から０へ変更する。その後、Ｓ１０８へ処理が進められる。
Ｓ１０７では、２−３解除カウンタ３０２が、２−３解除カウント値を１インクリメントする。その後、Ｓ１０８へ処理が進められる。
【００３２】
図４は、２−３プルダウン検出部３００の動作の一例を示すタイミングチャートである。図４は、入力画像信号が２−３プルダウン画像信号であることが検出された後、２−３プルダウン画像信号におけるパターンが維持されている場合の例を示す。
【００３３】
入力画像信号が２−３プルダウン画像信号であることが検出されると、２−３検出位相カウンタ３０１は、２−３位相カウント値として０〜４の値を繰り返す。図４の例では、フィールド番号が４のときに入力画像信号が２−３プルダウン画像信号であることが検出されたため、フィールド番号が４のときに２−３位相カウント値（ｃｎｔ２３）が０とされる。本実施例では、図４に示す１シーケンスの最後のフィールドのタイミング（２−３プルダウン画像信号において静止画フィールドが現れるタイミング）で入力画像信号が２−３プルダウン画像信号であることが検出される。そのため、２−３位相カウント値は、図４に示す１シーケンスの最後のフィールドのタイミングで０にリセットされる。
また、入力画像信号が２−３プルダウン画像信号であることが検出されると、２−３検出位相カウンタ３０１は、２−３検出フラグ（ｓｔａｔｅ２３）を１にする。図４の例では、フィールド番号が４のときに入力画像信号が２−３プルダウン画像信号であることが検出されたため、フィールド番号が５のときから２−３検出フラグ（ｓｔａｔｅ２３）が１とされる。
なお、２−３検出位相カウンタ３０１の動作はこれに限らない。入力画像信号が２−３プルダウン画像信号であること、現フィールド信号Ｉａのフィールドが、１シーケンスを形成する５フィールドのうち何番目のフィールドかを示すように動作すれば、どのように動作してもよい。
【００３４】
２−３解除カウンタ３０２は、２−３検出フラグが１のときに、２−３位相カウント値が４のタイミング（２−３位相カウント値を０にリセットするタイミング）で、フレーム差分比較値が０か否かを判定する。そして、２−３解除カウンタ３０２は、フレーム差分比較値が０でなかった場合（フレーム差分比較値が１であった場合）に、２−３解除カウント値を１インクリメントする。図４の例では、フィールド番号が９，１４，１９のタイミングで２−３位相カウント値が０にリセットされる。即ち、フィールド番号が９，１４，１９のときの２−３位相カウント値は１つ前のフィールドで設定された値（４）である。そのため、フィールド番号が９，１４，１９のタイミングで、フレーム差分比較値が０か否かが判定される。図４の例では、フィールド番号が９，１４，１９のときのフレーム差分比較値は０であるため、２−３解除カウント値はインクリメントされず、０のままとされる。
また、２−３解除カウンタ３０２は、２−３検出フラグが１のときに、２−３位相カウント値が４のタイミングで、２−３解除カウント値が所定値を超えたか否かを判定する。２−３解除カウンタ３０２は、２−３解除カウント値が所定値を超えた場合に、入力画像信号が切り替わったと判断する。そして、２−３解除カウンタ３０２は、２−３解除カウ
ント値を０にリセットし、２−３リセット信号を出力する。図４の例では、２−３解除カウント値が０であるため、２−３リセット信号は出力されない。所定値は、例えば、２である。なお、所定値は、目的等に応じて適宜設定、変更されるものであり、１，３，５などであってもよい。
【００３５】
補間位相フラグ生成部３０６は、２−３検出フラグが１、かつ、２−３位相カウント値が０，２，４のときに、補間位相フラグとして０を出力する。また、補間位相フラグ生成部３０６は、２−３検出フラグが１、かつ、２−３位相カウント値が１，３のときに、補間位相フラグとして１を出力する。図４の１フィールド遅延信号Ｉｂに記載のアルファベット（Ａ，Ｂ，Ｃ・・・）は、そのフィールドの生成元のフレームを表す。図４では、例えば、フィールド番号が５，７，９のときに補間位相フラグとして０が出力され、フィールド番号が６，８のときに補間位相フラグとして１が出力される。そのように補間位相フラグの値を切り替えることにより、同じフレームから生成されたフィールドを用いて補間信号Ｉｄを生成することができる。
【００３６】
図５は、２−３プルダウン検出部３００の動作の一例を示すタイミングチャートである。図５は、入力画像信号が２−３プルダウン画像信号であることが検出された後、２−３プルダウン画像信号におけるパターンが維持されている場合の例である。また、図５は、２−３プルダウン画像信号における静止画フィールドのタイミング（またはその２フィールド前のタイミング）で現フィールド信号Ｉａにノイズ等が含まれていた場合の例ある。
【００３７】
図５の例では、図４と同様に、フィールド番号が４のときに入力画像信号が２−３プルダウン画像信号であることが検出されている。そのため、図５の例では、フィールド番号が９，１４，１９，２４，２９のときの２−３位相カウント値は４となる。
図５の例では、フィールド番号が１４のときの現フィールド信号Ｉａ（フィールド番号が１５のときの１フィールド遅延信号Ｉｂ）にノイズが含まれている。そのため、フィールド番号が１４のときに、フレーム差分比較値は１となり、２−３解除カウント値が１インクリメントされる。
【００３８】
２−３解除カウント値と比較する閾値（上記所定値）を２とすると、フィールド番号が１４のときには、２−３解除カウント値は１であるため、２−３解除カウント値が所定値を超えていないと判定される。そのため、フィールド番号が１４のときには、入力画像信号が切り替わったと判断されず、２−３リセット信号は出力されない。
このように、本実施例では、２−３解除カウント値が所定値を超えない場合には、入力画像信号が切り替わったとは判断されない。そのため、ノイズ等で入力画像信号におけるパターンが乱れた場合に入力画像信号の切り替わりが誤検出されることを抑制することができる。特許文献１に開示の技術では、フィールド番号が１４のときに、動画フィールドが５フィールド連続しているため、入力画像信号が切り替わったと誤判断される。
【００３９】
また、上述したように、本実施例では、２−３解除カウンタ３０２は、入力画像信号におけるパターンが２−３プルダウン画像信号におけるパターンと異なると連続して判定された回数をカウントする。即ち、２−３解除カウンタ３０２は、２−３検出フラグが１、２−３位相カウント値が４、フレーム差分比較値が０のときに、入力画像信号におけるパターンが２−３プルダウン画像信号におけるパターンと同じであると判定し、２−３解除カウント値を０にリセットする。
図５の例では、フィールド番号が１９のときの現フィールド信号Ｉａにノイズが含まれていないため、フィールド番号が１９のときに、フレーム差分比較値は０となり、２−３解除カウント値が０にリセットされる。
入力画像信号にノイズ等が頻繁に含まれることはまれである。そのため、入力画像信号におけるパターンが２−３プルダウン画像信号におけるパターンと同じであると判定した
場合に、２−３解除カウント値をリセットすることにより、上記誤検出をより抑制することができる。
【００４０】
図６は、２−３プルダウン検出部３００の動作の一例を示すタイミングチャートである。図６は、入力画像信号が２−３プルダウン画像信号であることが検出された後、入力画像信号が他の画像信号に切り替わった場合の例である。
【００４１】
図６の例では、図４と同様に、フィールド番号が４のときに入力画像信号が２−３プルダウン画像信号であることが検出されている。そのため、図６の例では、フィールド番号が９，１４，１９，２４，２９のときの２−３位相カウント値は４となる。
図６の例では、フィールド番号が１５から１６に切り替わるタイミングで、入力画像信号が２−３−３−２プルダウン方式で変換された画像信号（２−３−３−２プルダウン画像信号）に切り替えられている。そのため、フィールド番号が１９，２４，３０のときに、フレーム差分比較値は１となり、２−３解除カウント値が１インクリメントされる。
２−３解除カウント値と比較する閾値（上記所定値）を２とすると、図６の例では、フィールド番号が２９のときに、２−３解除カウント値は３となるため、２−３解除カウント値が所定値を超えたと判定される。そのため、フィールド番号が２９のときに、入力画像信号が切り替わったと判断される。そして、２−３解除カウント値が０にリセットされ、２−３リセット信号が出力される。
２−３検出位相カウンタ３０１は、２−３リセット信号が出力されたことに応じて、２−３検出フラグを０にする。
このように、本実施例では、入力画像信号が２−３プルダウン画像信号から他の画像信号に切り替わった場合に、当該切り替わりを検出することができる。具体的には、図６の例では、フィールド番号が２９のタイミングで、画像信号が切り替わったことを検出することができる。
【００４２】
以上述べたように、本実施例によれば、入力画像信号におけるパターンが所定のプルダウン方式で変換された画像信号におけるパターンと異なると判定された回数がカウントされる。そして、カウント値（２−３解除カウント値）が所定値を超えたときに、入力画像信号が所定のプルダウン方式で変換された画像信号から他の画像信号へ切り替わったと判断される。それにより、ノイズ等で入力画像信号におけるパターンが乱れた場合に入力画像信号の切り替わりが誤検出されることを抑制し、入力画像信号の切り替わりを精度良く検出することができる。
また、本実施例によれば、入力画像信号におけるパターンが所定のプルダウン方式で変換された画像信号におけるパターンと異なると連続して判定された回数がカウントされる。それにより、ノイズ等で入力画像信号におけるパターンが乱れた場合に入力画像信号の切り替わりが誤検出されることをより抑制し、入力画像信号の切り替わりをより精度良く検出することができる。
なお、本実施例では、入力画像信号が２−３プルダウン画像信号から２−３−３−２プルダウン画像信号に切り替わる場合を例示したが、切り替わり後の画像信号は、他の方式のインターレース画像信号であってもよい。
【００４３】
＜実施例２＞
以下、本発明の実施例２に係る画像処理装置及びその制御方法について説明する。本実施例では、実施例１よりも精度良く入力画像信号の切り替わりを検出することのできる方法について説明する。
【００４４】
図７は、実施例１の２−３プルダウン検出部３００の動作の一例を示すタイミングチャートである。図７は、入力画像信号が２−３プルダウン画像信号であることが検出された後、入力画像信号が２−３−３−２プルダウン画像信号に切り替わった場合の例である。
図７の例では、図４と同様に、フィールド番号が４のときに入力画像信号が２−３プルダウン画像信号であることが検出されている。そのため、図７の例では、フィールド番号が９，１４，１９，２４，２９のときの２−３位相カウント値は４となる。
しかし、図７の例では、１０フィールドに１回、２−３解除カウント値が０にリセットされてしまう。具体的には、フィールド番号が１９，２９のときに、フレーム差分比較値が０となり、２−３解除カウント値が０にリセットされてしまう。そのため、２−３解除カウント値が所定値を超えず、入力画像信号の切り替わりを検出することができない。その結果、正しい補間信号Ｉｄを生成することができず、出力信号Ｐが破たんした画像の信号となってしまう。
このように、実施例１の方法では、入力画像信号の切り替わりが検出できないことがある。具体的には、切り替わり後の入力画像信号における静止画フィールドのタイミングと、２−３プルダウン画像信号における静止画フィールドのタイミングとの一致がしばしば生じる場合に、入力画像信号の切り替わりが検出できない。
【００４５】
入力画像信号におけるパターンが２−３プルダウン画像信号におけるパターンと同じであると判定された場合に２−３解除カウント値をリセットしない構成とすれば、図７の入力画像信号の切り替わりを検出することが可能となる。しかし、そのような構成の場合には、２−３解除カウント値がリセットされないため、やがて２−３解除カウント値が所定値を超えてしまい、入力画像信号が切り替わっていないにもかかわらず、切り替わったと誤判断されてしまうことがある。
【００４６】
本実施例では、上記２つの課題を解決することのできる方法について説明する。
なお、以下では、実施例１と異なる機能等について説明し、実施例１と同様の機能等については説明を省略する。
【００４７】
本実施例に係る画像処理装置の構成は実施例１（図１）と同様である。
本実施例のシーケンス検出部２０３の詳細な構成について、図８を用いて説明する。
図８は、本実施例のシーケンス検出部２０３の構成の一例を示す図である。
シーケンス検出部２０３は、２−３プルダウン検出部３００、２−３−３−２プルダウン検出部３０３、補間位相フラグ生成部３０６、解除カウンタリセット生成部３０７などを有する。２−３プルダウン検出部３００は、第１のプルダウン方式用（本実施例では、２−３プルダウン方式用）の第１処理部であり、２−３検出位相カウンタ３０１と２−３解除カウンタ３０２を有する。２−３−３−２プルダウン検出部３０３は、第２のプルダウン方式用（本実施例では、２−３−３−２プルダウン方式用）の第２処理部であり、２−３−３−２検出位相カウンタ３０４と２−３−３−２解除カウンタ３０５を有する。
なお、本実施例では、第１のプルダウン方式が２−３プルダウン方式であり、第２のプルダウン方式が２−３−３−２プルダウン方式である場合について説明するが、第１，２プルダウン方式はこれらに限らない。
【００４８】
２−３検出位相カウンタ３０１（第１検出部）は、実施例１と同様の機能を有する。
２−３解除カウンタ３０２（第１監視部）は、実施例１の機能の他に、解除カウンタリセット生成部３０７から解除カウンタリセット信号が入力された場合に、２−３解除カウント値をリセットする機能を有する。
なお、本実施例では、２−３解除カウンタ３０２は、入力画像信号におけるパターンが２−３プルダウン画像信号におけるパターンと同じであると判定された場合に、２−３解除カウント値をリセットしない。
【００４９】
２−３−３−２検出位相カウンタ３０４（第２検出部）は、比較部２０２が出力したフレーム差分比較値に基づいて、入力画像信号が２−３−３−２プルダウン画像信号であることを検出する。そして、２−３−３−２検出位相カウンタ３０４は、２−３−３−２位
相カウント値（ｃｎｔ２３３２）と２−３−３−２検出フラグ（ｓｔａｔｅ２３３２）を出力する。２−３−３−２位相カウント値は、入力画像信号が２−３−３−２プルダウン画像信号である場合に、現フィールド信号Ｉａのフィールドが１シーケンスを形成する１０フィールドのうち何番目のフィールドかを示す。本実施例では、２−３−３−２検出位相カウンタ３０４は、２−３−３−２位相カウント値として、０〜９の値を繰り返す。２−３−３−２検出フラグは、入力画像信号が２−３−３−２プルダウン画像信号であるか否かを示す。本実施例では、入力画像信号が２−３−３−２プルダウン画像信号であると判断されている期間では、ｓｔａｔｅ２３３２＝１とされる。即ち、入力画像信号が２−３−３−２プルダウン画像信号であることが検出されてから、２−３−３−２解除カウンタ３０５で入力画像信号の切り替わりが生じたと判断されるまでの期間では、ｓｔａｔｅ２３３２＝１とされる。それ以外の期間では、ｓｔａｔｅ２３３２＝０とされる。
【００５０】
２−３−３−２解除カウンタ３０５（第２監視部）は、２−３−３−２検出位相カウンタ３０４で入力画像信号が２−３−３−２プルダウン画像信号であることが検出された後、入力画像信号の切り替わりが生じたか否かを監視する。２−３−３−２検出位相カウンタ３０４で入力画像信号が２−３−３−２プルダウン画像信号であることが検出されたか否かは、２−３−３−２検出位相カウンタ３０４が出力した２−３−３−２検出フラグを用いて判断される。そして、入力画像信号が２−３−３−２プルダウン画像信号から他の画像信号へ切り替わったと判断された場合に、２−３−３−２解除カウンタ３０５は、２−３−３−２リセット信号（２−３−３−２ＰＤ＿ｒｓｔ）を出力する。２−３−３−２検出位相カウンタ３０４は、２−３−３−２リセット信号に応じて、入力画像信号が２−３−３−２プルダウン画像信号から他の画像信号へ切り替わったと判断されたか否かを判断する。
【００５１】
具体的には、２−３−３−２解除カウンタ３０５は、入力画像信号におけるパターンが２−３−３−２プルダウン画像信号におけるパターンと異なるか否かを判定する（パターン判定）。本実施例では、２−３−３−２プルダウン画像信号における静止画フィールドのタイミングの現フィールド信号Ｉａに対する比較部２０２の判定結果が静止画フィールドか否かが判定される。即ち、２−３−３−２プルダウン画像信号における静止画フィールドのタイミングでフレーム差分比較値が０となっているか否かが判定される。そして、２−３−３−２プルダウン画像信号における静止画フィールドのタイミングでフレーム差分比較値が０となっている場合には、入力画像信号におけるパターンが２−３−３−２プルダウン画像信号におけるパターンと同じであると判定される。２−３−３−２プルダウン画像信号における静止画フィールドのタイミングでフレーム差分比較値が０となっていない場合には、入力画像信号におけるパターンが２−３−３−２プルダウン画像信号におけるパターンと異なると判定される。２−３−３−２プルダウン画像信号における静止画フィールドのタイミングは、２−３−３−２検出位相カウンタ３０４が出力した２−３−３−２位相カウント値を用いて判断される。また、２−３−３−２解除カウンタ３０５は、入力画像信号におけるパターンが２−３−３−２プルダウン画像信号におけるパターンと異なると判定された回数をカウントする。そして、２−３−３−２解除カウンタ３０５は、カウント値（２−３−３−２解除カウント値ｃｎｔ２３３２＿ｒｓｔ）が所定値を超えたときに、入力画像信号が２−３−３−２プルダウン画像信号から他の画像信号へ切り替わったと判断する。
【００５２】
また、２−３−３−２解除カウンタ３０５は、解除カウンタリセット生成部３０７から解除カウンタリセット信号が入力された場合に、２−３−３−２解除カウント値をリセットする。
なお、本実施例では、２−３−３−２解除カウンタ３０５は、入力画像信号におけるパターンが２−３−３−２プルダウン画像信号におけるパターンと同じであると判定された場合に、２−３−３−２解除カウント値をリセットしない。
【００５３】
本実施例では、ｓｔａｔｅ２３＝０のときに２−３検出位相カウンタ３０１が２−３プルダウン検出処理を行い、ｓｔａｔｅ２３３２＝０のときに２−３−３−２検出位相カウンタ３０４が２−３−３−２プルダウン検出処理を行うものとする。２−３プルダウン検出処理は、入力画像信号が２−３プルダウン画像信号であることを検出する処理であり、２−３−３−２プルダウン検出処理は、入力画像信号が２−３−３−２プルダウン画像信号であることを検出する処理である。そして、ｓｔａｔｅ２３＝１の期間と、ｓｔａｔｅ２３３２＝１の期間とは重複しないものとする。即ち、２−３検出位相カウンタ３０１は、ｓｔａｔｅ２３３２＝１の期間以外の期間（ｓｔａｔｅ２３３２＝０の期間）に、入力画像信号が２−３プルダウン画像信号であることを検出する。２−３−３−２検出位相カウンタ３０４は、ｓｔａｔｅ２３＝１の期間以外の期間（ｓｔａｔｅ２３＝０の期間）に、入力画像信号が２−３−３−２プルダウン画像信号であることを検出する。
なお、ｓｔａｔｅ２３３２＝１のときには、２−３検出位相カウンタ３０１は２−３プルダウン検出処理を行わなくてもよい。ｓｔａｔｅ２３＝１のときには、２−３−３−２検出位相カウンタ３０４は２−３−３−２プルダウン検出処理を行わなくてもよい。
【００５４】
２−３プルダウン検出部３００と２−３−３−２プルダウン検出部３０３の具体的な動作については、後で詳しく説明する。
【００５５】
補間位相フラグ生成部３０６には、２−３検出位相カウンタ３０１が出力した２−３検出フラグ（ｓｔａｔｅ２３）と２−３位相カウント値（ｃｎｔ２３）、及び、２−３−３−２検出位相カウンタ３０４が出力した２−３−３−２検出フラグ（ｓｔａｔｅ２３３２）と２−３−３−２位相カウント値（ｃｎｔ２３３２）が入力される。
補間位相フラグ生成部３０６は、ｓｔａｔｅ２３＝１の場合に、ｃｎｔ２３の値に基づいて補間位相フラグ（ｉｓｏ＿ｆｌｇ）を生成する。本実施例では、ｃｎｔ２３＝１，３のときに、ｉｓｏ＿ｆｌｇ＝１とされ、それ以外ではｉｓｏ＿ｆｌｇ＝０とされる。
また、補間位相フラグ生成部３０６は、ｓｔａｔｅ２３３２＝１の場合に、ｃｎｔ２３３２の値に基づいて補間位相フラグ（ｉｓｏ＿ｆｌｇ）を生成する。本実施例では、ｃｎｔ２３３２＝１，３，５，６，８のときに、ｉｓｏ＿ｆｌｇ＝１とされ、それ以外ではｉｓｏ＿ｆｌｇ＝０とされる。
ｓｔａｔｅ２３＝ｓｔａｔｅ２３３２＝０の場合には、ｉｓｏ＿ｆｌｇ＝１とされる。
【００５６】
解除カウンタリセット生成部３０７は、入力画像信号が所定のプルダウン方式で変換された画像信号であることが検出されてからの時間を計測する。具体的には、解除カウンタリセット生成部３０７は、２−３検出位相カウンタ３０１で入力画像信号が２−３プルダウン画像信号であることが検出されてからの時間を計測する。また、解除カウンタリセット生成部３０７は、２−３−３−２検出位相カウンタ３０４で入力画像信号が２−３−３−２プルダウン画像信号であることが検出されてからの時間を計測する。
そして、解除カウンタリセット生成部３０７は、上記計測時間に基づいて、入力画像信号が所定のプルダウン方式で変換された画像信号であることが検出されてから所定時間おきに、解除カウンタリセット信号（ｃｎｔ＿ｒｓｔ）を出力する。
【００５７】
具体的には、解除カウンタリセット生成部３０７は、内部にフィールド数を数える時間カウンタを備えている。そして、解除カウンタリセット生成部３０７は、２−３検出フラグが１又は２−３−３−２検出フラグが１に変化した時点から入力された入力画像信号のフィールド数をカウントする。そして、解除カウンタリセット生成部３０７は、時間カウンタのカウント値（プルダウンフィールドカウント値）が所定値に達したときに、解除カウンタリセット信号を生成し、２−３解除カウンタ３０２と２−３−３−２解除カウンタ３０５に出力する。そして、解除カウンタリセット生成部３０７は、プルダウンフィールドカウント値（ｃｎｔＰＤ）を０にリセットし、再びカウントを行う。例えば、上記所定
値を６０とすると、入力画像信号が所定のプルダウン方式で変換された画像信号であることが検出されてから、６０フィールド分の入力画像信号が入力される毎に解除カウンタリセット信号が生成、出力される。なお、上記所定値は６０に限らない。上記所定値は、目的等に応じて適宜設定、変更されるものである。
なお、本実施例では、解除カウンタリセット信号が２−３解除カウンタ３０２と２−３−３−２解除カウンタ３０５の両方に出力されるものとしたが、これに限らない。解除カウンタリセット信号は、２−３解除カウンタ３０２と２−３−３−２解除カウンタ３０５のうち、入力画像信号の切り替わりの監視を行っている解除カウンタにのみ出力されてもよい。
【００５８】
以下、２−３プルダウン検出部３００の動作の具体例について説明する。
図９は、入力画像信号が２−３プルダウン画像信号であることが検出された後の２−３プルダウン検出部３００の動作の一例を示すフローチャートである。図９の処理フローは繰り返し実行される。
【００５９】
まず、２−３検出位相カウンタ３０１と２−３解除カウンタ３０２が、２−３検出フラグが０か否かを判定する（Ｓ２００）。２−３検出フラグが０の場合には（Ｓ２００：Ｙｅｓ）、Ｓ２０１へ処理が進められる。２−３検出フラグが１の場合には（Ｓ２００：Ｎｏ）、Ｓ２０２へ処理が進められる。
Ｓ２０２では、２−３解除カウンタ３０２が、解除カウンタリセット生成部３０７から解除カウンタリセット信号が入力されたか否かを判定する。解除カウンタリセット信号が入力されていない場合には（Ｓ２０２：Ｎｏ）、Ｓ２０４へ処理が進められる。解除カウンタリセット信号が入力された場合には（Ｓ２０２：Ｙｅｓ）、２−３解除カウンタ３０２が、２−３解除カウント値を０にリセットし（Ｓ２０３）、Ｓ２０４へ処理が進められる。
Ｓ２０１、Ｓ２０４〜Ｓ２１０の処理は、実施例１（図３）のＳ１０１、Ｓ１０２〜Ｓ１０８の処理と同様のため、説明は省略する。
【００６０】
図１０は、２−３プルダウン検出部３００の動作の一例を示すタイミングチャートである。図１０は、入力画像信号が２−３プルダウン画像信号であることが検出された後、入力画像信号が他の画像信号に切り替わった場合の例である。
【００６１】
図１０の例では、図４と同様に、フィールド番号が４のときに入力画像信号が２−３プルダウン画像信号であることが検出されている。そのため、図１０の例では、フィールド番号が９，１４，１９，２４，２９，３４のときの２−３位相カウント値は４となる。
図１０の例では、フィールド番号が１７から１８に切り替わるタイミングで、入力画像信号が２−３−３−２プルダウン画像信号に切り替えられている。そして、フィールド番号が１９，２９のとき（及び、フィールド番号が９，１４のとき）に、フレーム差分比較値が０となっており、フィールド番号が２４，３４のときに、フレーム差分比較値が１となっている。そのため、フィールド番号が２４，３４のときに、２−３解除カウント値が１インクリメントされる。
２−３解除カウント値と比較する閾値（所定値）を１とすると、フィールド番号が３４のときに、２−３解除カウント値は２となるため、２−３解除カウント値が所定値を超えたと判定される。そのため、フィールド番号が３４のときに、入力画像信号が切り替わったと判断される。そして、２−３解除カウント値が０にリセットされ、２−３リセット信号が出力される。
２−３検出位相カウンタ３０１は、２−３リセット信号が出力されたことに応じて、２−３検出フラグを０にする。
このように、本実施例では、切り替わり後の入力画像信号における静止画フィールドのタイミングと、２−３プルダウン画像信号における静止画フィールドのタイミングとの一
致がしばしば生じる場合であっても、入力画像信号の切り替わりを検出することができる。
また、本実施例では、２−３−３−２プルダウン方式用の検出部を有しているため、入力画像信号が２−３プルダウン画像信号から２−３−３−２プルダウン画像信号に切り替わったことを検出することができる。具体的には、入力画像信号が２−３プルダウン画像信号から他の画像信号に切り替わったと判断された後に、当該他の画像信号が２−３−３−２プルダウン画像信号であることを検出することができる。
【００６２】
図１１は、２−３プルダウン検出部３００の動作の一例を示すタイミングチャートである。図１１は、入力画像信号が２−３プルダウン画像信号であることが検出された後、２−３プルダウン画像信号におけるパターンが維持されている場合の例である。
【００６３】
図１１の例では、図４と同様に、フィールド番号が４のときに入力画像信号が２−３プルダウン画像信号であることが検出されている。そのため、図１１の例では、解除カウンタリセット生成部３０７が、フィールド番号が５のとき（２−３検出フラグが１となったタイミング）から入力された入力画像信号のフィールド数をカウントする。具体的には、フィールド番号が５のときのプルダウンフィールドカウント値は１、フィールド番号が６のときのプルダウンフィールドカウント値は２、・・・となる。
図１１の例では、ノイズ等の影響により、フィールド番号が６１のときの２−３解除カウント値は１となっている。しかし、本実施例では、プルダウンフィールドカウント値が６０に達したときに、解除カウンタリセット信号が出力され、２−３解除カウント値がリセットされる。図１１の例では、フィールド番号が６４のときにプルダウンフィールドカウント値が６０に達する。そのため、解除カウンタリセット生成部３０７は、フィールド番号が６５のときに解除カウンタリセット信号を出力する。そして、２−３解除カウンタ３０２は、解除カウンタリセット信号に応じて、フィールド番号が６６のときに２−３解除カウント値を０にリセットする。また、解除カウンタリセット生成部３０７は、フィールド番号が６５のときにプルダウンフィールドカウント値を０にリセットし、再びカウントを行う。
ノイズ等の影響によるパターンの不一致（入力画像信号におけるパターンと、２−３プルダウン画像信号におけるパターンとの不一致）が短い期間に何度も生じる可能性は低い。本実施例では、解除カウンタリセット信号を用いて、入力画像信号が２−３プルダウン画像信号であることが検出されてから所定時間おきに、２−３解除カウント値がリセットされる。それにより、入力画像信号が切り替わっていないにもかかわらず、切り替わったと誤判断されることを抑制することができる。
【００６４】
以下、２−３−３−２プルダウン検出部３０３の動作の具体例について説明する。
図１２は、入力画像信号が２−３−３−２プルダウン画像信号であることが検出された後の２−３−３−２プルダウン検出部３０３の動作の一例を示すフローチャートである。図１２の処理フローは繰り返し実行される。
【００６５】
まず、２−３−３−２検出位相カウンタ３０４と２−３−３−２解除カウンタ３０５が、２−３−３−２検出フラグが０か否かを判定する（Ｓ３００）。２−３−３−２検出フラグが０の場合には（Ｓ３００：Ｙｅｓ）、Ｓ３０１へ処理が進められる。２−３−３−２検出フラグが１の場合には（Ｓ３００：Ｎｏ）、Ｓ３０２へ処理が進められる。
Ｓ３０１では、２−３−３−２検出位相カウンタ３０４が、２−３−３−２プルダウン検出処理を行い、本フローが終了される。２−３−３−２プルダウン検出処理の詳細については、説明を省略する。
Ｓ３０２では、２−３−３−２解除カウンタ３０５が、解除カウンタリセット生成部３０７から解除カウンタリセット信号が入力されたか否かを判定する。解除カウンタリセット信号が入力されていない場合には（Ｓ３０２：Ｎｏ）、Ｓ３０４へ処理が進められる。
解除カウンタリセット信号が入力された場合には（Ｓ３０２：Ｙｅｓ）、２−３−３−２解除カウンタ３０５が、２−３−３−２解除カウント値を０にリセットし（Ｓ３０３）、Ｓ３０４へ処理が進められる。
Ｓ３０４では、２−３−３−２検出位相カウンタ３０４と２−３−３−２解除カウンタ３０５が、２−３−３−２位相カウント値が６または９であるか否かを判定する。２−３−３−２位相カウント値が６または９でない場合には（Ｓ３０４：Ｎｏ）、２−３−３−２検出位相カウンタ３０４が２−３−３−２位相カウント値を１インクリメントし（Ｓ３０５）、本フローが終了される。２−３−３−２位相カウント値が６または９である場合には（Ｓ３０４：Ｙｅｓ）、Ｓ３０６へ処理が進められる。
Ｓ３０６では、２−３−３−２検出位相カウンタ３０４と２−３−３−２解除カウンタ３０５が、フレーム差分比較値が１か否かを判定する。フレーム差分比較値が０の場合には（Ｓ３０６：Ｎｏ）、２−３−３−２検出位相カウンタ３０４が２−３−３−２位相カウント値を０にリセットし（Ｓ３１０）、本フローが終了される。フレーム差分比較値が１の場合には（Ｓ３０６：Ｙｅｓ）、Ｓ３０７へ処理が進められる。
Ｓ３０７では、２−３−３−２解除カウンタ３０５が、２−３−３−２解除カウント値が所定値を超えたか否かを判定する。２−３−３−２解除カウント値が所定値を超えた場合には（Ｓ３０７：Ｙｅｓ）、Ｓ３０８へ処理が進められる。２−３−３−２解除カウント値が所定値を超えていない場合には（Ｓ３０７：Ｎｏ）、Ｓ３０９へ処理が進められる。
Ｓ３０８では、２−３−３−２解除カウンタ３０５が、２−３−３−２解除カウント値を０にリセットし、２−３−３−２リセット信号を出力する。そして、２−３−３−２検出位相カウンタ３０４は、２−３−３−２リセット信号が出力されたことに応じて、２−３−３−２検出フラグを１から０へ変更する。その後、Ｓ３１０へ処理が進められる。
Ｓ３０９では、２−３−３−２解除カウンタ３０５が、２−３−３−２解除カウント値を１インクリメントする。その後、Ｓ３１０へ処理が進められる。
なお、２−３−３−２画像信号の１シーケンス毎に、パターン判定が２回行われるものとしたが、この構成に限らない。２−３−３−２画像信号の１シーケンス毎に、パターン判定が１回行われる構成であってもよい。即ち、所定のプルダウン方式で変換された画像信号が、Ｎ個のフィールド単位でパターンが繰り返される画像信号である場合には、Ｎ個のフィールド単位でパターン判定が行われてもよい。例えば、入力画像信号におけるパターンと、２−３−３−２画像信号におけるパターンとが異なるか否かを判定する場合には、１０フィールド単位で判定が行われてもよい。
【００６６】
図１３は、２−３−３−２プルダウン検出部３０３の動作の一例を示すタイミングチャートである。図１３は、入力画像信号が２−３−３−２プルダウン画像信号であることが検出された後、２−３−３−２画像信号におけるパターンが維持されている場合の例を示す。
【００６７】
入力画像信号が２−３−３−２プルダウン画像信号であることが検出されると、２−３−３−２検出位相カウンタ３０４は、２−３−３−２位相カウント値として０〜９の値を繰り返す。図１３の例では、フィールド番号が７のときに入力画像信号が２−３−３−２プルダウン画像信号であることが検出されたため、フィールド番号が７のときに２−３−３−２位相カウント値（ｃｎｔ２３３２）が０とされる。本実施例では、図１３に示す１シーケンスの最後のフィールドのタイミング（２−３−３−２プルダウン画像信号において静止画フィールドが現れるタイミング）で入力画像信号が２−３−３−２プルダウン画像信号であると検出される。そのため、２−３−３−２位相カウント値は、図１３に示す１シーケンスの最後のフィールドのタイミングで０にリセットされる。
また、入力画像信号が２−３−３−２プルダウン画像信号であることが検出されると、２−３−３−２検出位相カウンタ３０４は、２−３−３−２検出フラグ（ｓｔａｔｅ２３３２）を１にする。図１３の例では、フィールド番号が７のときに入力画像信号が２−３
−３−２プルダウン画像信号であることが検出されたため、フィールド番号が８のときから２−３−３−２検出フラグ（ｓｔａｔｅ２３３２）が１とされる。
なお、２−３−３−２検出位相カウンタ３０４の動作はこれに限らない。入力画像信号が２−３−３−２プルダウン画像信号であること、現フィールド信号Ｉａのフィールドが、１シーケンスを形成する１０フィールドのうち何番目のフィールドかを示すように動作すれば、どのように動作してもよい。
【００６８】
２−３−３−２解除カウンタ３０５は、２−３−３−２検出フラグが１のときに、２−３−３−２位相カウント値が６または９のタイミングで、フレーム差分比較値が０か否かを判定する。そして、２−３−３−２解除カウンタ３０５は、フレーム差分比較値が０でなかった場合に、２−３−３−２解除カウント値を１インクリメントする。図１３の例では、フィールド番号が１４，１７のときの２−３−３−２位相カウント値は６，９（１つ前のフィールドで設定された値）である。そのため、フィールド番号が１４，１７のタイミングで、フレーム差分比較値が０か否かが判定される。図１３の例では、フィールド番号が１４，１７のときのフレーム差分比較値は０であるため、２−３−３−２解除カウント値はインクリメントされず、０のままとされる。
また、２−３−３−２解除カウンタ３０５は、２−３−３−２検出フラグが１のときに、２−３−３−２位相カウント値が６または９のタイミングで、２−３−３−２解除カウント値が所定値を超えたか否かを判定する。２−３−３−２解除カウンタ３０５は、２−３−３−２解除カウント値が所定値を超えた場合に、入力画像信号が切り替わったと判断する。そして、２−３−３−２解除カウンタ３０５は、２−３−３−２解除カウント値を０にリセットし、２−３−３−２リセット信号を出力する。図１３の例では、２−３−３−２解除カウント値が０であるため、２−３−３−２リセット信号は出力されない。
【００６９】
補間位相フラグ生成部３０６は、２−３−３−２検出フラグが１、かつ、２−３−３−２位相カウント値が０，２，４，７，９のときに、補間位相フラグとして０を出力する。また、補間位相フラグ生成部３０６は、２−３−３−２検出フラグが１、かつ、２−３−３−２位相カウント値が１，３，５，６，８のときに、補間位相フラグとして１を出力する。図１３では、例えば、フィールド番号が８，１０，１２，１５，１７のときに補間位相フラグとして０が出力され、フィールド番号が９，１１，１３，１４，１６のときに補間位相フラグとして１が出力される。
【００７０】
図１４は、２−３−３−２プルダウン検出部３０３の動作の一例を示すタイミングチャートである。図１４は、入力画像信号が２−３−３−２プルダウン画像信号であることが検出された後、入力画像信号が他の画像信号に切り替わった場合の例である。
【００７１】
図１４の例では、図１３と同様に、フィールド番号が７のときに入力画像信号が２−３−３−２プルダウン画像信号であることが検出されている。そのため、図１４の例では、フィールド番号が１４，１７，２４，２７，３４のときの２−３−３−２位相カウント値は６または９となる。
図１４の例では、フィールド番号が２２から２３に切り替わるタイミングで、入力画像信号が２−３プルダウン画像信号に切り替えられている。そのため、フィールド番号が２４，２７，３４のときに、フレーム差分比較値は１となり、２−３解除カウント値が１インクリメントされる。
２−３−３−２解除カウント値と比較する閾値（所定値）を２とすると、フィールド番号が３４のときに、２−３−３−２解除カウント値は３となるため、２−３−３−２解除カウント値が所定値を超えたと判定される。そのため、フィールド番号が３４のときに、入力画像信号が切り替わったと判断される。そして、２−３−３−２解除カウント値が０にリセットされ、２−３−３−２リセット信号が出力される。
２−３−３−２検出位相カウンタ３０４は、２−３−３−２リセット信号が出力された
ことに応じて、２−３−３−２検出フラグを０にする。
このように、本実施例では、入力画像信号の切り替わりを検出することができる。
【００７２】
図１５は、２−３−３−２プルダウン検出部３０３の動作の一例を示すタイミングチャートである。図１５は、入力画像信号が２−３−３−２プルダウン画像信号であることが検出された後、入力画像信号が他の画像信号に切り替わった場合の例である。
【００７３】
図１５の例では、図１３と同様に、フィールド番号が７のときに入力画像信号が２−３−３−２プルダウン画像信号であることが検出されている。そのため、図１５の例では、フィールド番号が１４，１７，２４，２７，３４のときの２−３−３−２位相カウント値は６または９となる。
図１５の例では、フィールド番号が１８から１９に切り替わるタイミングで、入力画像信号が２−３プルダウン画像信号に切り替えられている。そして、フィールド番号が２７のとき（及び、フィールド番号が１４，１７のとき）に、フレーム差分比較値が０となっており、フィールド番号が２４，３４のときに、フレーム差分比較値が１となっている。そのため、フィールド番号が２４，３４のときに、２−３−３−２解除カウント値が１インクリメントされる。
２−３−３−２解除カウント値と比較する閾値（所定値）を１とすると、フィールド番号が３４のときに、２−３−３−２解除カウント値は２となるため、２−３−３−２解除カウント値が所定値を超えたと判定される。そのため、フィールド番号が３４のときに、入力画像信号が切り替わったと判断される。そして、２−３−３−２解除カウント値が０にリセットされ、２−３−３−２リセット信号が出力される。
２−３−３−２検出位相カウンタ３０４は、２−３−３−２リセット信号が出力されたことに応じて、２−３−３−２検出フラグを０にする。
このように、本実施例では、切り替わり後の入力画像信号における静止画フィールドのタイミングと、２−３−３−２プルダウン画像信号における静止画フィールドのタイミングとの一致がしばしば生じる場合であっても、入力画像信号の切り替わりを検出することができる。
【００７４】
また、本実施例では、２−３プルダウン方式用の検出部を有しているため、入力画像信号が２−３−３−２プルダウン画像信号から２−３プルダウン画像信号に切り替わったことを検出することができる。具体的には、入力画像信号が２−３−３−２プルダウン画像信号から他の画像信号に切り替わったと判断された後に、当該他の画像信号が２−３プルダウン画像信号であることを検出することができる。
【００７５】
図１６は、２−３−３−２プルダウン検出部３０３の動作の一例を示すタイミングチャートである。図１６は、入力画像信号が２−３−３−２プルダウン画像信号であることが検出された後、２−３−３−２画像信号におけるパターンが維持されている場合の例である。
【００７６】
図１６の例では、図１３と同様に、フィールド番号が７のときに入力画像信号が２−３−３−２プルダウン画像信号であることが検出されている。そのため、図１６の例では、解除カウンタリセット生成部３０７が、フィールド番号が８のとき（２−３−３−２検出フラグが１となったタイミング）から入力された入力画像信号のフィールド数をカウントする。具体的には、フィールド番号が８のときのプルダウンフィールドカウント値は１、フィールド番号が９のときのプルダウンフィールドカウント値は２、・・・となる。
図１６の例では、ノイズ等の影響により、フィールド番号が６４のときの２−３−３−２解除カウント値は１となっている。しかし、本実施例では、プルダウンフィールドカウント値が６０に達したときに、解除カウンタリセット信号が出力され、２−３−３−２解除カウント値がリセットされる。図１６の例では、フィールド番号が６７のときにプルダ
ウンフィールドカウント値が６０に達する。そのため、解除カウンタリセット生成部３０７は、フィールド番号が６８のときに解除カウンタリセット信号を出力する。そして、２−３−３−２解除カウンタ３０５は、解除カウンタリセット信号に応じて、フィールド番号が６９のときに２−３−３−２解除カウント値を０にリセットする。また、解除カウンタリセット生成部３０７は、フィールド番号が６８のときにプルダウンフィールドカウント値を０にリセットし、再びカウントを行う。
ノイズ等の影響によるパターンの不一致（入力画像信号におけるパターンと、２−３−３−２プルダウン画像信号におけるパターンとの不一致）が短い期間に何度も生じる可能性は低い。本実施例では、解除カウンタリセット信号を用いて、入力画像信号が２−３−３−２プルダウン画像信号であることが検出されてから所定時間おきに、２−３−３−２解除カウント値がリセットされる。それにより、入力画像信号が切り替わっていないにもかかわらず、切り替わったと誤判断されることを抑制することができる。
【００７７】
以上述べたように、本実施例によれば、入力画像信号が所定のプルダウン方式で変換された画像信号であることが検出されてからの時間が計測される。そして、計測時間に基づいて、入力画像信号が所定のプルダウン方式で変換された画像信号であることが検出されてから所定時間おきに、カウント値（解除カウント値）が０にリセットされる。それにより、入力画像信号の切り替わりを精度良く検出することができる。具体的には、ノイズ等で入力画像信号におけるパターンが乱れた場合に入力画像信号の切り替わりが誤検出されることを抑制することができる。また、入力画像信号の切り替わりが生じた場合には、当該切り替わりを検出することができる。
また、本実施例によれば、複数のプルダウン方式用の複数の検出部が用いられる。それにより、入力画像信号が第１のプルダウン方式で変換された画像信号から第２のプルダウン方式で変換された画像信号に切り替わったことを検出することができる。即ち、切り替わり後の画像信号がどのようなプルダウン方式で変換された画像信号なのかを判断することができる。
【符号の説明】
【００７８】
１０  画像処理装置
２００  プルダウン検出部
２０２  比較部
２０３  シーケンス検出部
３００  ２−３プルダウン検出部
３０１  ２−３検出位相カウンタ
３０２  ２−３解除カウンタ
３０３  ２−３−３−２プルダウン検出部
３０４  ２−３−３−２検出位相カウンタ
３０５  ２−３−３−２解除カウンタ
【図１】
2013211735.tif 000003
【図２】
2013211735.tif 000004
【図３】
2013211735.tif 000005
【図４】
2013211735.tif 000006
【図５】
2013211735.tif 000007
【図６】
2013211735.tif 000008
【図７】
2013211735.tif 000009
【図８】
2013211735.tif 000010
【図９】
2013211735.tif 000011
【図１０】
2013211735.tif 000012
【図１１】
2013211735.tif 000013
【図１２】
2013211735.tif 000014
【図１３】
2013211735.tif 000015
【図１４】
2013211735.tif 000016
【図１５】
2013211735.tif 000017
【図１６】
2013211735.tif 000018